(57)【要約】本発明はケーシングを含むおむつ又は失禁衣料の如き吸収製品であって、ケーシングの外側が衣料の使用時に着用者の体から遠位にあり、内側が衣料の使用時に着用者の体に隣接し、前記ケーシングが前部分、後部分、及び前部分と後部分の間に横たわる股部分を有し、ケーシングが吸収体構造を含み、吸収製品が前部分及び後部分の対向する側部を相互に対して取り付けるための締結システムを更に含み、前記締結システムが少なくとも二つの協同する締結要素を含み、第一要素が第二要素のためのランド領域として機能するものにおいて、第一要素が少なくとも一つのゆがみ防止部分を含むことを特徴とする吸収製品に関する。前記ゆがみ防止部分はそれが内側部分に接着すると前部分及び後部分が相互に関してすべることを防止する。【選択図】図１
2004514502.tif 000002
【特許請求の範囲】
【請求項１】
ケーシング（３，４）を含むおむつ又は失禁衣料の如き吸収製品（１）であって、ケーシングの外側が衣料の使用時に着用者の体から遠位にあり、内側が衣料の使用時に着用者の体に隣接し、前記ケーシングが前部分（５）、後部分（６）、及び前部分と後部分の間に横たわる股部分（７）を有し、ケーシングが吸収体構造（２）を含み、吸収製品が前部分及び後部分の対向する側部を相互に対して取り付けるための締結システムを更に含み、前記締結システムが少なくとも二つの協同する締結要素を含み、第一要素（１７，２１，２４）が第二要素（１３，１４）のためのランド領域（２０，２３，２６）として機能するものにおいて、第一要素が少なくとも一つのゆがみ防止部分（１８，１９，２２，２５）を含むことを特徴とする吸収製品。
【請求項２】
第一要素（１７）がその二つの横方向側上にゆがみ防止部分（１８，１９）によって包囲されたランド領域（２０）を含む請求項１記載の吸収製品。
【請求項３】
第一要素が二つの別個の片（２１，２４）に分離されており、各片がランド領域（２３，２６）及びゆがみ防止部分（２２，２５）を含み、前記ゆがみ防止部分がランド領域（２３，２６）の横方向外側に位置されている請求項１記載の吸収製品。
【請求項４】
第一要素（１７，２１，２４）のゆがみ防止部分がそれが取り付けられている側部の横方向側縁（９）から０〜１２０ｍｍの距離に位置されている請求項１〜３のいずれか一項記載の吸収製品。
【請求項５】
ゆがみ防止部分が前端におけるケーシングの横方向側（９）の外側に少なくとも部分的に位置されている請求項１〜３のいずれか一項記載の吸収製品。
【請求項６】
ゆがみ防止部分がケーシングの内側に接着することができるフック材料部分である請求項１〜５のいずれか一項記載の吸収製品。
【請求項７】
ランド領域がループ材料を含む請求項１〜６のいずれか一項記載の吸収製品。
【請求項８】
第二要素（１３，１４）がフック材料を含む請求項１〜７のいずれか一項記載の吸収製品。
【請求項９】
ゆがみ防止部分が、第二要素が取り付けられている部分の側縁の裏打ちシート材料に接着することができる請求項１〜８のいずれか一項記載の吸収製品。
【発明の詳細な説明】
【０００１】
技術分野
本発明はケーシングを含むおむつ又は失禁衣料の如き吸収製品であって、ケーシングの外側が衣料の使用時に着用者の体から遠位にあり、内側が衣料の使用時に着用者の体に隣接し、前記ケーシングが前部分、後部分、及び前部分と後部分の間に横たわる股部分を有し、吸収製品が前部分及び後部分の対向する側部を相互に対して取り付けるための締結システムを更に含み、前記締結システムが少なくとも二つの協同する締結要素を含み、第一要素が第二要素のためのランド領域として機能するものに関する。
【０００２】
発明の背景
おむつの締結システムは着用者への良好な適合を与えるようにおむつの前部分と後部分を連結するものと想定される。良好な適合は特に漏れの発生を防止するというおむつの機能にとっては重要である。使用中に生ずる一つの問題は前部分と後部分が相互に関してすべるかもしれないということである。特に、おむつの前部分（又は構造の選択に応じて後部分）の耳は相互に関してすべるかもしれず、これはヒリヒリする悪い適合を生じ、結果として漏れを生ずるかもしれない。
【０００３】
ＥＰ−Ａ−０２４０２１３は前部分と後部分が使用中に相互に関してすべるという問題を解決することを目的とする柔軟な脚開口を有する吸収製品を開示する。これは外側及び内側締結手段により解決される。内側手段は後部分及び前部分における重なり部分の変位を防止すると述べられており、それは前部分及び後部分とそれぞれ一体化されてもよい。締結はいくつかの方法で行われることができる。外側締結手段は接着テープであり、後部分の耳から延びる。
【０００４】
従って、ＥＰ−Ａ−０２４０２１３は前部分と後部分の相互に関するすべりを防止する解決策を開示する。しかし、この締結システムの製造は通常の締結システムと比較するとかなり複雑である。従って、ゆがみ防止特性を与えながらも製造が容易である締結システムに対する要求が存在する。
【０００５】
それ故、本発明の一つの主目的はかかる要求を満たす吸収製品を提供することである。
【０００６】
発明の概要
本発明の目的はケーシングを含むおむつ又は失禁衣料の如き吸収製品であって、ケーシングの外側が衣料の使用時に着用者の体から遠位にあり、内側が衣料の使用時に着用者の体に隣接し、前記ケーシングが前部分、後部分、及び前部分と後部分の間に横たわる股部分を有し、吸収製品が前部分及び後部分の対向する側部を相互に対して取り付けるための締結システムを更に含み、前記締結システムが少なくとも二つの協同する締結要素を含み、第一要素が第二要素のためのランド領域として機能するものにおいて、第一要素が少なくとも一つのゆがみ防止部分を含むことを特徴とする吸収製品によって達成される。
【０００７】
上述したような吸収製品の利点は、とりわけ製造が容易である（というのは、第一要素が一つのアイテムとして与えられているからである）ということ、及び側部において大きな柔軟性を与える締結システムを提供するということである。これにより、ゆがみ防止効果は別個の要素を用いて達成される。
【０００８】
一つの好ましい実施態様としては、第一要素がその二つの横方向側上にゆがみ防止部分によって包囲されたランド領域を含む吸収製品が与えられる。
【０００９】
このようにして、製造が容易であるという実際上の解決策が与えられる。というのも、一つの第一要素がケーシングの対向する側上の両方の第二要素に対して与えられるからである。両方の耳上の第二要素はランド領域に接着することができ、これによりゆがみ防止部分は例えば不織布から作られた各耳又はタブの内側面に接着することができる。従ってすべりが防止される。
【００１０】
別の実施態様は第一要素が二つの別個の片に分離されており、各片がランド領域及びゆがみ防止部分を含み、前記ゆがみ防止部分がランド領域の横方向外側に位置されている吸収製品である。
【００１１】
これにより、一つの第一要素がケーシングの対向する側上の各第二要素に対して与えられる。
【００１２】
更に別の実施態様はゆがみ防止機構を確実にするために、第一要素のゆがみ防止部分がそれが取り付けられている側部の側縁から０〜１２０ｍｍの距離に位置されている吸収製品である。
【００１３】
別の実施態様においてはゆがみ防止部分は前端のケーシングの横方向側の外側に横たわる。これは吸収製品が使用される場合、小さな側部（耳）を有するので特に有利である。
【００１４】
一つの好ましい実施態様はゆがみ防止部分がケーシングの内側に接着することができるフック材料部分である上述したような吸収製品である。
【００１５】
このようにすると、すべりを容易に防止することができる。何故なら、好適なフック連結が多くの一般的な材料に対して良好な結合を与えるからである。
【００１６】
更に、他の側面においてはランド領域はループ材料を含み、これにより第二締結要素との良好な連結を与える。
【００１７】
更に他の実施態様によればゆがみ防止部分は第二要素が取り付けられている部分の側縁の裏打ちシート材料に接着することができ、これにより股部分において吸収製品を折り畳まれた状態で一緒に保持することができる。従って、ゆがみ防止部分は使用前又は使用後に製品を折り畳まれた状態で維持するために用いられることができる。
【００１８】
更に、本発明による解決策の有する他の利点はその構造にある。第一要素のランド領域とフック部分は一つの単一の片に一体化されているため、本発明の締結システムは吸収製品に容易に適用される。
【００１９】
図面の簡単な説明
図１は本発明の第一実施態様による吸収製品の透視図を示す。
【００２０】
図２は本発明の第二実施態様による吸収製品を示し、図１と同様の図を示す。
【００２１】
図３はゆがみ防止部分が吸収製品の横方向側縁の外側に位置された本発明の実施態様を示す。
【００２２】
発明の詳細な記述
「ゆがみ防止部分」という用語は衛生製品の後部分及び前部分の側部が製品の適用状態において相互に関してすべるか又は動くことを防止する部分を意味する。ゆがみ防止部分はそれが適用される部分に対向する部分（後部分又は前部分）に接着し、それにより前部分及び後部分の重なる側部の間のすべりを防止する。
【００２３】
図１はおむつ１を開示する。当該技術分野では周知の通り、おむつは液体透過性上部シート３と液体不透過性裏打ちシート４の間に包囲された吸収体２を含む。これらのシートは吸収体を越えて到達するそれらの部分に相互に対して締結されている。おむつは前部分５、後部分６、及び中間股部分７を有し、おむつの縦方向はその後縁から前縁まで延びる。おむつは脚弾性体８をも含む。これは例えば少なくともおむつの股部分でおむつの両側に沿って上部シートと裏打ちシートの間に配置され、延伸状態で上部シート及び／又は裏打ちシートに取り付けられた一つ又はいくつかの弾性糸又はバンドである。上部シート３及び裏打ちシート４は吸収体２のためのケーシングを構成し、おむつ１の前部分５及び後部分６の側部はおむつの股部分７におけるケーシングの伸長に関して前部分及び後部分から横方向に突出している。側部は前部分及び後部分のそれぞれの横方向側縁９及び１０によって制限されている。
【００２４】
本発明によれば、側部又は耳は後部分６及び前部分５から両側へと横方向に延びる。前部分上に第一締結要素１７が取り付けられている。第一締結要素１７はランド領域２０及び二つのゆがみ防止部分１８及び１９を有する。要素１７は第一の耳から他の耳までおむつ１の前部分５の腰領域にわたって横方向に延びる。後部分６の耳上には二つのタブ１１及び１２が取り付けられ、その上に二つの第二締結要素１３及び１４が取り付けられ、これらは第一締結要素１７に接着することができるように構成されている。締結要素（１３，１４及び１７）は前部分及び後部分の対向する側部を相互に対して取り付け、かくしておむつにパンツ状構造を与える。第一締結要素１７及び第二締結要素１３及び１４はそれぞれ後部分及び前部分に逆の順序で取り付けられることもできる。ゆがみ防止部分１８及び１９は対向する側部の内側に接着され、かくして前部分及び後部分が相互に関してすべることを防止する。
【００２５】
吸収製品は例えば「砂時計」形状であることができ、そこでは砂時計の「耳」は吸収製品の側部を構成する。次に、ランド領域として機能する締結要素１７が製品の前部分又は後部分の外側の腰ラインの近隣に適用される。他の要素（１３，１４）は製品の後部分又は前部分の腰ラインの近隣に取り付けられた吸収製品の締結タブ（１１，１２）に適用されることが好ましい。要素（１３，１４）の外側には握りタブ（１５，１６）が与えられており、これは締結システムを調整する際に手で握られるためのものである。
【００２６】
この実施態様においては第一締結要素１７のランド領域２０はループランド領域であり、ゆがみ防止部分１８及び１９はフック材料からなる。第二締結要素１３及び１４はフック材料からなる。第一締結要素の面積は第二締結要素の面積よりも大きいことが好ましく、これにより着用者に適用された場合におむつの腰ラインの長さを調整することが可能となる。おむつの前部分の側部における第一締結要素１７の延伸は第二締結要素１３及び１４が第一締結要素１７のランド領域２０のそれぞれの外側端に取り付けられた場合におむつの後部分及び前部分の対向する側部がわずかに重なる程度である。
【００２７】
液体透過性上部シート３は柔らかくて皮膚にやさしい材料からなる。好適な材料の例は様々な種類の不織布である。使用されることができる他の材料はせん孔されたプラスチックフィルム、プラスチックネット、又は編まれた、クロッチされた（ｃｒｏｔｃｈｅｄ）、又は織られた繊維材料、又は上述の種類の材料の組合わせ及びラミネートである。プラスチック材料は例えばポリエチレン（ＰＥ）の熱可塑性材料であることができる。不織材料はセルロース又は綿繊維の如き天然繊維から形成されることができるが、代わりにＰＥ、ポリプロピレン（ＰＰ）、ポリウレタン（ＰＵ）、ポリエステル、ナイロン、又は再生セルロースの如き合成繊維、又は様々な繊維の混合物からなることができる。吸収衛生衣料において上部シート用に用いられるすべての材料は上部シート３用に用いられることができ、上述の材料は例として与えられているにすぎない。
【００２８】
液体不透過性裏打ちシート４は好ましくはＰＥ，ＰＰ又はポリエステルの薄いプラスチックフィルムの柔らかい材料からなるが、不織布の如き液体透過性材料とプラスチックフィルムの如き液体不透過性材料のラミネートからなることもできる。液体不透過性裏打ちシート用に用いられるすべての材料が考えられる。裏打ちシートは空気透過性であることが有利である。
【００２９】
吸収体２はセルロース繊維からなることが好ましいが、綿繊維又はピートの如き他の天然材料も使用されることができる。代わりに、吸収性合成繊維又は天然と合成繊維の混合物も使用されることができる。吸収体は超吸収剤、即ち自重の数倍以上の量の液体を吸収する能力を有するポリマーを含むこともできる。吸収体は形態安定化成分及び／又は液体分散成分を含むこともでき、短繊維及び粒子を連続ユニットとして一緒に保持するための結合剤を含むこともできる。更に、吸収体は吸収材料の一以上の層を含むことができる。
【００３０】
第二実施態様（図２）によれば、第一締結要素は二つの別個の片２１及び２４に分離されており、各々が前部分の左耳及び右耳にそれぞれ取り付けられている。第一締結要素２１及び２４の各片はランド領域２３及び２６、及びゆがみ防止部分２２及び２５を含み、ゆがみ防止部分は側部の外側部分に向かって位置されている。機能は第一の記述した実施態様の機能と本質的に同一である。第一及び第二締結要素はそれぞれおむつの後部分及び前部分に逆の順序で取り付けられることができる。
【００３１】
更に別の実施態様（図示せず）によれば、第一締結要素はゆがみ防止部分のみを含み、前部分（又は後部分）における裏打ちシート４の外側の材料が第二要素のためのランド領域として機能する。
【００３２】
図３は本発明の更に別の実施態様を示す。そこでは第一締結要素のゆがみ防止部分はそれが取り付けられている側部の横方向側縁（９）の外側に延びる。この図に示されている吸収製品は図１に示されている製品と類似するが、前部分の横方向側縁（９）の間の距離が図３の吸収製品においては小さいという違いを有する。機能は上述の実施態様の機能と本質的に同一である。
【００３３】
本発明によりゆがみ防止部分（１８，１９，２２，２５）を与える目的は前部分及び後部分が相互に関してすべることを防止すること、及びゆがみ防止部分を含む第一要素（１７，２１，２４）を吸収製品に適用することが容易であること（というのは、ゆがみ防止部分及びランド領域が一つの要素として与えられているからである）である。実際、現存するアプリケーターはゆがみ防止部分を有さない第一要素の適用と同じくらい容易に製造において用いられることができる。
【００３４】
ゆがみ防止部分はケーシングの内側に接着することができるフック材料からなることが好ましい。それは後部分及び前部分の相互に関するすべりを防止することができるいかなる他の種類の材料からなることもできる。かかる材料はケーシングの内側の対向する側と一緒に高い摩擦係数を与えるべきである。かかる材料としては所望によりエンボスを与えられた又は荒い表面を有するポリマー又はプラスチック材料が使用されることができる。
【００３５】
締結システムはフック及びループタイプのものであることが好ましいが、テープ及びテープランド領域並びにいかなる他の好適なシステムを含むこともできる。
【００３６】
全ての場合において、ゆがみ防止部分は前部分又は後部分の内側又は締結タブと協同するように位置される。
【００３７】
好ましい実施態様においてはゆがみ防止部分はフック材料からなり、耳の内側は不織布からなる。両側にフック要素を有するループランド領域はフック要素を後部分の不織布の内側にフックさせてそれによりおむつをすべりから防止する目的で前部分の外側に適用される。
【００３８】
本発明を有する一つの更なる利点はゆがみ防止部分が「テープ線（ｔａｐｅ−ｌｉｎｅ）」に位置され、それはフック要素が「耳」の不織布の内側にフックする機会を増大させるということである。
【００３９】
更に別の実施態様においてはゆがみ防止部分は第二要素が取り付けられている部分の裏打ちシート材料に接着することができる。これは股部分で折り畳まれた吸収製品を使用前又は使用後に一緒に保持することを可能にする。これは裏打ちシートが繊維表面を有しておりかつゆがみ防止部分がフック材料からなる場合に特に良好に達成される。
【００４０】
更に、ゆがみ防止部分は脚弾性体の端の直ぐ上に位置されることができ、これによりその伸長に寄与することができる。
【００４１】
以上の記述はいかにして本発明が実施されうるかを示す。しかし、これらの記述は本発明の範囲を制限することを意図されるものではなく、例示した実施態様の修正は十分可能である。例えば締結システムの二つの要素は両方とも前部分並びに後部分に適用されることができる。更に、吸収製品はおむつ及び失禁衣料の如き様々な種類のものであることができる。吸収製品の構造は吸収製品を含むことができ又は挿入体のために与えられることができる。ランド領域部分に接着する締結システムの要素は締結タブの代わりに耳の内側に取り付けられることもできる。
【図面の簡単な説明】
【図１】
本発明の第一実施態様による吸収製品の透視図を示す。
【図２】
本発明の第二実施態様による吸収製品を示し、図１と同様の図を示す。
【図３】
ゆがみ防止部分が吸収製品の横方向側縁の外側に位置された本発明の実施態様を示す。
【図１】
2004514502.tif 000003
【図２】
2004514502.tif 000004
【図３】
2004514502.tif 000005
【国際公開パンフレット】
2004514502.tif 000006
2004514502.tif 000007
2004514502.tif 000008
2004514502.tif 000009
2004514502.tif 000010
2004514502.tif 000011
2004514502.tif 000012
2004514502.tif 000013
2004514502.tif 000014
2004514502.tif 000015
2004514502.tif 000016
2004514502.tif 000017
2004514502.tif 000018
2004514502.tif 000019
2004514502.tif 000020
【手続補正書】
【提出日】平成14年10月30日(2002.10.30)
【手続補正１】
【補正対象書類名】明細書
【補正対象項目名】特許請求の範囲
【補正方法】変更
【補正の内容】
【特許請求の範囲】
【請求項１】
ケーシング（３，４）を含むおむつ又は失禁衣料の如き吸収製品（１）であって、ケーシングの外側が衣料の使用時に着用者の体から遠位にあり、内側が衣料の使用時に着用者の体に隣接し、前記ケーシングが前部分（５）、後部分（６）、及び前部分と後部分の間に横たわる股部分（７）を有し、ケーシングが吸収体構造（２）を含み、吸収製品が前部分及び後部分の対向する側部を相互に対して取り付けるための締結システムを更に含み、前記締結システムが少なくとも二つの協同する締結要素を含み、第一要素（１７，２１，２４）が第二要素（１３，１４）のためのランド領域（２０，２３，２６）として機能するものにおいて、第一要素がランド領域の横方向外側に位置された少なくとも一つのゆがみ防止部分（１８，１９，２２，２５）を含むことを特徴とする吸収製品。
【請求項２】
第一要素（１７）がその二つの横方向側上にゆがみ防止部分（１８，１９）によって包囲されたランド領域（２０）を含む請求項１記載の吸収製品。
【請求項３】
第一要素が二つの別個の片（２１，２４）に分離されており、各片がランド領域（２３，２６）及びゆがみ防止部分（２２，２５）を含み、前記ゆがみ防止部分がランド領域（２３，２６）の横方向外側に位置されている請求項１記載の吸収製品。
【請求項４】
第一要素（１７，２１，２４）のゆがみ防止部分がそれが取り付けられている側部の横方向側縁（９）から０〜１２０ｍｍの距離に位置されている請求項１〜３のいずれか一項記載の吸収製品。
【請求項５】
ゆがみ防止部分が前端におけるケーシングの横方向側（９）の外側に少なくとも部分的に位置されている請求項１〜４のいずれか一項記載の吸収製品。
【請求項６】
ゆがみ防止部分がケーシングの内側に接着することができるフック材料部分である請求項１〜５のいずれか一項記載の吸収製品。
【請求項７】
ランド領域がループ材料を含む請求項１〜６のいずれか一項記載の吸収製品。
【請求項８】
第二要素（１３，１４）がフック材料を含む請求項１〜７のいずれか一項記載の吸収製品。
【請求項９】
ゆがみ防止部分が、第二要素が取り付けられている部分の側縁の裏打ちシート材料に接着することができる請求項１〜８のいずれか一項記載の吸収製品。
【国際調査報告】
2004514502.tif 000021
2004514502.tif 000022
2004514502.tif 000023
2004514502.tif 000024